(57)【要約】【課題】  複数のファイルで有効化されているセキュリティ設定に基づき、新たに作成される結合ファイルのセキュリティ設定を簡便に行うことを可能とするファイル処理装置を提供する。【解決手段】  複数のファイルを指定するファイル選択手段と、各ファイルから、各ファイルに設定されているセキュリティに関する設定項目を含むセキュリティ設定情報を抽出するセキュリティ設定情報抽出手段と、各ファイルに設定されているセキュリティ設定を解除するセキュリティ解除手段と、複数のファイルを結合して１つの結合ファイルを新たに作成する結合ファイル作成手段と、抽出したセキュリティ設定情報に基づいて新たなセキュリティ設定情報を生成し、結合ファイルに対し新たなセキュリティ設定を付加するセキュリティ設定手段とを備えるファイル処理装置を提供する。【選択図】図５
2007065857.tif 000002
【特許請求の範囲】
【請求項１】
複数のファイルを結合し、１つの結合ファイルを作成するファイル処理装置であって、
複数の被結合ファイルを指定するファイル選択手段と、
前記各被結合ファイルから、各被結合ファイルに設定されているセキュリティに関する設定項目を含むセキュリティ設定情報を抽出するセキュリティ設定情報抽出手段と、
前記各被結合ファイルに設定されているセキュリティ設定を解除するセキュリティ解除手段と、
前記複数の被結合ファイルを結合して１つの結合ファイルを新たに作成する結合ファイル作成手段と、
抽出したセキュリティ設定情報に基づいて新たなセキュリティ設定情報を生成し、前記結合ファイルに対し前記新たなセキュリティ設定を付加するセキュリティ設定手段とを有することを特徴とするファイル処理装置。
【請求項２】
さらに、前記抽出したセキュリティ設定情報を一覧表示する表示手段を有することを特徴とする請求項１に記載のファイル処理装置。
【請求項３】
さらに、操作者が、前記表示手段に一覧表示されたセキュリティ設定情報から前記結合ファイルに設定される、所定のセキュリティ設定に関する設定項目を選択するセキュリティ設定項目選択手段を有し、
前記セキュリティ設定手段は、前記結合ファイルに対する処理の許可・不許可の設定に関する設定項目については、操作者が前記セキュリティ設定項目手段を用いて選択した設定項目を含むようにして前記新たなセキュリティ設定情報を生成することを特徴とする請求項２に記載のファイル処理装置。
【請求項４】
前記セキュリティ設定手段は、所定のセキュリティ設定に関する設定項目については、前記各被結合ファイルの少なくとも１つに設定された設定項目の全てを含むように前記新たなセキュリティ設定情報を生成することを特徴とする請求項１に記載のファイル処理装置。
【請求項５】
前記セキュリティ設定手段は、所定のセキュリティ設定に関する設定項目については、前記被結合ファイルの全てに共通に設定された設定項目のみを含むように前記新たなセキュリティ設定情報を生成することを特徴とする請求項１に記載のファイル処理装置。
【請求項６】
前記セキュリティ設定手段は、前記結合ファイルに対する処理にかかる操作者認証方式に関する設定項目については、複数の設定項目が含まれる場合、前記複数の設定項目の操作者認証方式を比較し、より強固な操作者認証方式を含むように前記新たなセキュリティ設定情報を生成することを特徴とする請求項１に記載のファイル処理装置。
【請求項７】
前記セキュリティ設定手段は、前記被結合ファイルの少なくとも１つにアクセス可能ユーザ指定に関する設定項目が含まれる場合、前記被結合ファイルの前記アクセス可能ユーザ指定に関する設定項目の全てに共通にアクセス可能ユーザとして指定されているユーザのみを、前記結合ファイルに対するアクセス可能ユーザに含むように前記新たなセキュリティ設定情報を生成することを特徴とする請求項１に記載のファイル処理装置。
【請求項８】
前記セキュリティ設定手段は、前記被結合ファイルの少なくとも１つにアクセス可能ユーザ指定に関する設定項目が含まれる場合、前記被結合ファイルの前記アクセス可能ユーザ指定に関する設定項目の少なくとも１つでアクセス可能ユーザとして指定されているユーザの全てを、前記結合ファイルに対するアクセス可能ユーザに含むように前記新たなセキュリティ設定情報を生成することを特徴とする請求項１に記載のファイル処理装置。
【請求項９】
複数のファイルを結合し、１つの結合ファイルを作成するファイル処理方法であって、
複数の被結合ファイルを指定するファイル選択ステップと、
前記各被結合ファイルから、各被結合ファイルに設定されているセキュリティに関する設定項目を含むセキュリティ設定情報を抽出するステップと、
前記各被結合ファイルに設定されているセキュリティ設定を解除するステップと、
前記複数の被結合ファイルを結合して１つの結合ファイルを新たに作成するステップと、
抽出したセキュリティ設定情報に基づいて新たなセキュリティ設定情報を生成するステップと、
前記結合ファイルに対し前記新たなセキュリティ設定を付加するステップとを有することを特徴とするファイル処理方法。
【請求項１０】
さらに、前記抽出したセキュリティ設定情報を一覧表示するステップを有することを特徴とする請求項９に記載のファイル処理方法。
【請求項１１】
前記新たなセキュリティ設定情報生成ステップは、所定のセキュリティ設定に関する設定項目については、前記各被結合ファイルの少なくとも１つに設定された設定項目の全てを含むように前記新たなセキュリティ設定情報を生成することを特徴とする請求項９に記載のファイル処理方法。
【請求項１２】
前記新たなセキュリティ設定情報生成ステップは、前記結合ファイルに対する処理にかかる操作者認証方式に関する設定項目については、複数の設定項目が含まれる場合、前記複数の設定項目の操作者認証方式を比較し、より強固な操作者認証方式を含むように前記新たなセキュリティ設定情報を生成することを特徴とする請求項９に記載のファイル処理方法。
【請求項１３】
前記新たなセキュリティ設定情報生成ステップは、前記被結合ファイルの少なくとも１つにアクセス可能ユーザ指定に関する設定項目が含まれる場合、前記被結合ファイルの前記アクセス可能ユーザ指定に関する設定項目の全てに共通にアクセス可能ユーザとして指定されているユーザのみを、前記結合ファイルに対するアクセス可能ユーザに含むように前記新たなセキュリティ設定情報を生成することを特徴とする請求項９に記載のファイル処理方法。
【請求項１４】
複数のファイルを結合し、１つの結合ファイルを作成するファイル処理用プログラムであって、
操作者に、入力手段を用いて複数の被結合ファイルを指定させるファイル選択ステップと、
前記各被結合ファイルから、各被結合ファイルに設定されているセキュリティに関する設定項目を含むセキュリティ設定情報を抽出し、記憶装置に記憶するステップと、
前記各被結合ファイルに設定されているセキュリティ設定を解除するステップと、
前記複数の被結合ファイルを結合して１つの結合ファイルを新たに作成し、記憶装置に記憶するステップと、
抽出したセキュリティ設定情報に基づいて新たなセキュリティ設定情報を生成し、記憶装置に記憶するステップと、
前記結合ファイルに対し前記新たなセキュリティ設定を付加するステップとを有することを特徴とするコンピュータによって実行可能なファイル処理用プログラム。
【請求項１５】
さらに、前記抽出したセキュリティ設定情報を一覧表示するステップを有することを特徴とする請求項１４に記載のファイル処理用プログラム。
【請求項１６】
前記新たなセキュリティ設定情報を生成し記憶するステップは、所定のセキュリティ設定に関する設定項目については、前記各被結合ファイルの少なくとも１つに設定された設定項目の全てを含むように前記新たなセキュリティ設定情報を生成し前記記憶装置に記憶することを特徴とする請求項１４に記載のファイル処理用プログラム。
【請求項１７】
前記新たなセキュリティ設定情報を生成し記憶するステップは、前記結合ファイルに対する処理にかかる操作者認証方式に関する設定項目については、複数の設定項目が含まれる場合、前記複数の設定項目の操作者認証方式を比較し、より強固な操作者認証方式を含むように前記新たなセキュリティ設定情報を生成し前記記憶装置に記憶することを特徴とする請求項１４に記載のファイル処理用プログラム。
【請求項１８】
前記新たなセキュリティ設定情報を生成し記憶するステップは、前記被結合ファイルの少なくとも１つにアクセス可能ユーザ指定に関する設定項目が含まれる場合、前記被結合ファイルの前記アクセス可能ユーザ指定に関する設定項目の全てに共通にアクセス可能ユーザとして指定されているユーザのみを、前記結合ファイルに対するアクセス可能ユーザに含むように前記新たなセキュリティ設定情報を生成し前記記憶装置に記憶することを特徴とする請求項１４に記載のファイル処理用プログラム。
【発明の詳細な説明】
【技術分野】
【０００１】
本発明は、電子ファイル処理装置に関する。より具体的には、セキュリティにかかる設定を有するファイルを含む複数のファイルを統合して新たなファイルを作成する装置に関する。
【背景技術】
【０００２】
従来、複数のファイルを結合し新たに１つのファイルを作成する場合、結合される複数のファイルに個別的に設定されている各種のファイル管理情報は、操作者が一旦解除もしくは無効化し、新たに作成されたファイルに対し設定しなおす必要があった。
【０００３】
上記のファイル管理情報には、各ファイルに対するセキュリティ設定情報が含まれる。このセキュリティ設定情報は、ファイルの内容の変更、閲覧、印刷等を実施可能な権限を有するユーザを制限するための情報である。セキュリティ設定が有効なファイルを結合し、新たなファイルを作成する場合、操作者は一旦セキュリティ設定を解除または無効化し、複数のファイルを１つの新規に作成されるファイルに含め、新規に作成された結合ファイルに対し、先程解除または無効化したセキュリティ設定を手動で設定しなければならない。
【０００４】
このように、たとえ一時的であっても操作者は手動的に、ファイルに設定されているセキュリティ設定等を解除または無効化する必要がある。セキュリティの観点からこのような操作は、問題視される場合がある。
【０００５】
さらに、操作者は、一旦解除または無効化したセキュリティ設定を、手動的に、新規に作成された結合ファイルに対して設定し直す必要があり、誤操作のおそれがある。
【０００６】
特許文献１は、登録することにより複数のファイルを認識し、登録されたファイルを管理する、ファイリングシステム装置を開示する。ファイリングシステム装置は、操作者の登録操作により複数のファイルの存在を認識し、かつ、操作者の指定する「結合関係」をファイル間に設定し、記憶し、ファイル管理に活用する。ただし、特許文献１に記載の「結合関係」は、実際にファイルを「結合」するものではなく、別個独立したファイルに所定の関係性を持たせて管理するための、別途記憶される情報に基づく関係性である。そのため、「結合関係」にあるファイルは、「結合関係」を付与された後も個別独立したファイルとしてシステム内に存続することになる。特許文献１のシステムにおいては、複数のファイルを結合した１つのファイルを作成する処理は行われない。
【０００７】
特許文献１に記載のシステムにおいては、「結合関係」にある、個別独立的に存在する複数のファイルに対し、同一のパスワードを設定することができる。すなわち、複数ファイルに対し、一のパスワードが設定される。
【０００８】
特許文献２は、特許文献１に類似する結合関係をファイルに付与することにより複数のファイルを統一的に取り扱う装置を開示する。結合関係により一のファイル群にまとめられた複数のファイルがそれぞれ異なる印刷設定を有する場合、特許文献２に開示の装置は一のファイル群に含まれる複数のファイルの互いに異なる印刷設定を最適化し、好ましい印刷を簡便に実行することができる。
【特許文献１】特開平０６−２９０２１４号公報
【特許文献２】特開２００２−０１９１９８号公報
【発明の開示】
【発明が解決しようとする課題】
【０００９】
しかしながら、特許文献１および２に開示のシステムおよび装置は、複数のファイルを新たな一のファイルに結合するものではない。そのため、複数のファイルを結合し、一の新たなファイルに統合するファイル結合処理に適用することはできない。
【００１０】
本発明は、複数のファイルを結合し、一の新たなファイルを作成するファイル処理装置であって、各ファイルで有効化されているセキュリティ設定に基づき、新たに作成される結合ファイルにセキュリティ設定を簡便に行うことを可能とするファイル処理装置を提供することを目的とする。
【課題を解決するための手段】
【００１１】
本発明は、その一態様において、複数のファイルを結合し、１つの結合ファイルを作成するファイル処理装置であって、複数の被結合ファイルを指定するファイル選択手段と、各被結合ファイルから、各被結合ファイルに設定されているセキュリティに関する設定項目を含むセキュリティ設定情報を抽出するセキュリティ設定情報抽出手段と、各被結合ファイルに設定されているセキュリティ設定を解除するセキュリティ解除手段と、複数の被結合ファイルを結合して１つの結合ファイルを新たに作成する結合ファイル作成手段と、抽出したセキュリティ設定情報に基づいて新たなセキュリティ設定情報を生成し、結合ファイルに対し新たなセキュリティ設定を付加するセキュリティ設定手段とを有するファイル処理装置である。
【００１２】
本発明の一態様においては、さらに、抽出したセキュリティ設定情報を一覧表示する表示手段を有することが好ましい。
【００１３】
本発明の一態様においては、さらに、操作者が、表示手段に一覧表示されたセキュリティ設定情報から結合ファイルに設定される、所定のセキュリティ設定（例えば、結合ファイルに対する処理の許可・不許可の設定）に関する設定項目を選択するセキュリティ設定項目選択手段を有し、セキュリティ設定手段は、結合ファイルに対する処理の許可・不許可の設定に関する設定項目については、操作者がセキュリティ設定項目手段を用いて選択した設定項目を含むようにして新たなセキュリティ設定情報を生成することが好ましい。
【００１４】
本発明の一態様においては、セキュリティ設定手段は、所定のセキュリティ設定（例えば、結合ファイルに対する処理の許可・不許可の設定）に関する設定項目については、各被結合ファイルの少なくとも１つに設定された設定項目の全てを含むように新たなセキュリティ設定情報を生成することが好ましい。
【００１５】
本発明の一態様においては、セキュリティ設定手段は、所定のセキュリティ設定（例えば、結合ファイルに対する処理の許可・不許可の設定）に関する設定項目については、被結合ファイルの全てに共通に設定された設定項目のみを含むように新たなセキュリティ設定情報を生成することが好ましい。
【００１６】
本発明の一態様においては、セキュリティ設定手段は、結合ファイルに対する処理にかかる操作者認証方式に関する設定項目については、複数の設定項目が含まれる場合、複数の設定項目の操作者認証方式を比較し、より強固な操作者認証方式を含むように新たなセキュリティ設定情報を生成することが好ましい。
【００１７】
本発明の一態様においては、セキュリティ設定手段は、被結合ファイルの少なくとも１つにアクセス可能ユーザ指定に関する設定項目が含まれる場合、被結合ファイルのアクセス可能ユーザ指定に関する設定項目の全てに共通にアクセス可能ユーザとして指定されているユーザのみを、結合ファイルに対するアクセス可能ユーザに含むように新たなセキュリティ設定情報を生成することが好ましい。
【００１８】
本発明の一態様においては、セキュリティ設定手段は、被結合ファイルの少なくとも１つにアクセス可能ユーザ指定に関する設定項目が含まれる場合、被結合ファイルのアクセス可能ユーザ指定に関する設定項目の少なくとも１つでアクセス可能ユーザとして指定されているユーザの全てを、結合ファイルに対するアクセス可能ユーザに含むように新たなセキュリティ設定情報を生成することが好ましい。
【００１９】
本発明は、その一態様において、複数のファイルを結合し、１つの結合ファイルを作成するファイル処理方法であって、複数の被結合ファイルを指定するファイル選択ステップと、各被結合ファイルから、各被結合ファイルに設定されているセキュリティに関する設定項目を含むセキュリティ設定情報を抽出するステップと、各被結合ファイルに設定されているセキュリティ設定を解除するステップと、複数の被結合ファイルを結合して１つの結合ファイルを新たに作成するステップと、抽出したセキュリティ設定情報に基づいて新たなセキュリティ設定情報を生成するステップと、結合ファイルに対し新たなセキュリティ設定を付加するステップとを有するファイル処理方法である。
【００２０】
本発明の一態様においては、さらに、抽出したセキュリティ設定情報を一覧表示するステップを有することが好ましい。
【００２１】
本発明の一態様においては、新たなセキュリティ設定情報生成ステップは、所定のセキュリティ設定に関する設定項目については、各被結合ファイルの少なくとも１つに設定された設定項目の全てを含むように新たなセキュリティ設定情報を生成することが好ましい。
【００２２】
本発明の一態様においては、新たなセキュリティ設定情報生成ステップは、結合ファイルに対する処理にかかる操作者認証方式に関する設定項目については、複数の設定項目が含まれる場合、複数の設定項目の操作者認証方式を比較し、より強固な操作者認証方式を含むように新たなセキュリティ設定情報を生成することが好ましい。
【００２３】
本発明の一態様においては、新たなセキュリティ設定情報生成ステップは、被結合ファイルの少なくとも１つにアクセス可能ユーザ指定に関する設定項目が含まれる場合、被結合ファイルのアクセス可能ユーザ指定に関する設定項目の全てに共通にアクセス可能ユーザとして指定されているユーザのみを、結合ファイルに対するアクセス可能ユーザに含むように新たなセキュリティ設定情報を生成することが好ましい。
【００２４】
本発明は、その一態様において、複数のファイルを結合し、１つの結合ファイルを作成するファイル処理用プログラムであって、操作者に、入力手段を用いて複数の被結合ファイルを指定させるファイル選択ステップと、各被結合ファイルから、各被結合ファイルに設定されているセキュリティに関する設定項目を含むセキュリティ設定情報を抽出し、記憶装置に記憶するステップと、各被結合ファイルに設定されているセキュリティ設定を解除するステップと、複数の被結合ファイルを結合して１つの結合ファイルを新たに作成し、記憶装置に記憶するステップと、抽出したセキュリティ設定情報に基づいて新たなセキュリティ設定情報を生成し、記憶装置に記憶するステップと、結合ファイルに対し新たなセキュリティ設定を付加するステップとを有するコンピュータによって実行可能なファイル処理用プログラムである。
【００２５】
本発明の一態様においては、さらに、抽出したセキュリティ設定情報を一覧表示するステップを有することが好ましい。
【００２６】
本発明の一態様においては、新たなセキュリティ設定情報を生成し記憶するステップは、所定のセキュリティ設定に関する設定項目については、各被結合ファイルの少なくとも１つに設定された設定項目の全てを含むように新たなセキュリティ設定情報を生成し記憶装置に記憶することが好ましい。
【００２７】
本発明の一態様においては、新たなセキュリティ設定情報を生成し記憶するステップは、結合ファイルに対する処理にかかる操作者認証方式に関する設定項目については、複数の設定項目が含まれる場合、複数の設定項目の操作者認証方式を比較し、より強固な操作者認証方式を含むように新たなセキュリティ設定情報を生成し記憶装置に記憶することが好ましい。
【００２８】
本発明の一態様においては、新たなセキュリティ設定情報を生成し記憶するステップは、被結合ファイルの少なくとも１つにアクセス可能ユーザ指定に関する設定項目が含まれる場合、被結合ファイルのアクセス可能ユーザ指定に関する設定項目の全てに共通にアクセス可能ユーザとして指定されているユーザのみを、結合ファイルに対するアクセス可能ユーザに含むように新たなセキュリティ設定情報を生成し記憶装置に記憶することが好ましい。
【発明の効果】
【００２９】
本発明にかかるファイル処理装置によれば、複数のファイルを結合し一の新たなファイルを作成する際、操作者が元のファイルに設定されているセキュリティ設定を手動で解除し、再度設定する必要がない。よって、本発明は、セキュリティ設定されたファイルを結合した結合ファイルを簡便に作成可能とし、操作者の労力を軽減、誤操作の発生を防止する。
【発明を実施するための最良の形態】
【００３０】
［ファイル処理システムの構成］
図１は、本発明にかかるファイル処理装置を備えたファイル処理システムの概略図である。ファイル処理システム１００は、入力装置１、ファイル処理装置２、および、出力装置３を有する。入力装置１とファイル処理装置２との接続は、入力装置１からファイル処理装置２へのデータ送信が可能であればよい。出力装置３とファイル処理装置２との接続は、ファイル処理装置２から出力装置３へのデータ送信が可能であればよい。ファイル処理装置２と入力装置１および出力装置３とが、双方向にデータ送受信可能に接続されることはより好ましい。
【００３１】
入力装置１は、例えば、デジタルカメラ１ａ、フラットベッドスキャナ１ｂ、複合機（Multifunction Peripheral （ＭＦＰ））１ｃ等であり、システム１００の外部から画像入力可能な入力装置である。また、入力装置１は、ネットワーク等でファイル処理装置２と接続された情報処理装置（例えば、パーソナルコンピュータ）であってもよい。この場合、入力装置１は、情報処理装置の記憶するファイルをファイル処理装置２へ送信可能にファイル処理装置２と接続される。
【００３２】
ファイル処理装置２は、情報処理装置（例えば、パーソナルコンピュータ）である。操作者は、マウスやキーボード等の入力手段を用いてファイル処理装置２を操作可能である。また、ファイル処理装置２は、内部に記憶装置を備え、さらに、操作者からの指示を受け付ける入力手段である操作部（例えば、タッチパネル等。）を有する複合機（ＭＦＰ）等であってもよい。この場合、ＭＦＰは、入力装置１、ファイル処理装置２、および、出力装置３の機能を備えており、単独でシステム１００を構成することができる。
【００３３】
出力装置３は、例えば、プリンタ３ａ、ＦＴＰサーバ３ｂ、メールサーバ３ｃ等であり、ファイル処理装置２から送られるデータを、紙媒体等に、または、システム外部へ電子的に、出力可能な装置である。先述のとおり、ＭＦＰも出力装置３を構成することが可能である。また、ＦＴＰサーバ、メールサーバ等は、システム１００の外部からファイル処理装置２へ電子的なデータを供給することができるため、入力装置１を構成することも可能である。
【００３４】
［ファイル処理装置２の構成］
図２は、ファイル処理装置２のブロック図である。ファイル処理装置２は、中央処理装置（以下、ＣＰＵ(central processing unit)とも称する。）２０１を備え、ＣＰＵ２０１は、データバス２２０と接続される。そして、データバス２２０を介してＣＰＵ２０１は、装置２を制御するためのプログラム等を記憶する読取り専用記憶装置（以下、「ＲＯＭ(read-only memory)」とも称する。）２０２、各種データ、ファイルおよびプログラムを記憶する読取書込記憶装置（以下、「ＲＡＭ(random-access memory)」とも称する。）２０３、ハードディスクドライブ（以下、「ＨＤＤ」(hard disc drive)とも称する。）２０４およびＣＤ−ＲＯＭ２０５、画像または文字等を表示するディスプレイ２０６、情報入力のためのキーボード２０７およびマウス２０８、拡張スロット２０９、ならびに、入力装置１および出力装置３を接続するための通信インターフェース（以下、「Ｉ／Ｆ」とも称する。）２１０と接続される。ファイル処理装置２は、これら構成要素および記憶装置２０２、２０３、または、２０４に記憶されたプログラムとそれを実行するＣＰＵ２０１により、結合する複数のファイル（被結合ファイル）を指定するファイル選択手段と、ファイルに設定されているセキュリティ設定の情報を調査（抽出）するセキュリティ設定情報抽出手段と、抽出したセキュリティ設定情報を一覧表示する表示手段と、操作者が装置２に情報を入力するための入力手段と、ファイルに設定されているセキュリティ設定を解除するセキュリティ解除手段と、結合ファイルを新たに作成する結合ファイル作成手段と、結合ファイルに対しセキュリティ設定を実行するセキュリティ設定手段、操作者が結合ファイルに設定されるセキュリティ設定項目を選択するためのセキュリティ設定項目選択手段の機能を実現する。
【００３５】
なお、ＣＰＵ２０１は、インテル社製ペンティアム(Pentium)・プロセッサ（登録商標）といった一般に流通するプロセッサでよい。
【００３６】
これより、本発明にかかるファイル処理装置２の実行する処理について説明する。
【００３７】
［ファイル処理用プログラム例］
図３Ａは、ファイル処理装置２の、ＲＯＭ２０２、ＲＡＭ２０３、ＨＤＤ２０４、または、ＣＤ−ＲＯＭ２０５に記憶され、ＣＰＵ２０１によって実行することができる、本発明にかかるファイル処理用プログラムのメインルーチンを示すフローチャートである。
【００３８】
ファイル処理用プログラムが起動されると先ず、以下の処理で必要なフラグ等のイニシャライズ、初期画面表示等を行う初期化ステップＳ３０１が実行される。
【００３９】
次に、操作者によるメニュー選択を待つためのメニュー選択ステップＳ３０２が実行される。この、メニュー選択ステップＳ３０２は、操作者がメニューを選択するまでループするように構成される。実際に操作者がメニューを選択すれば、各メニューを実行するステップ（ステップＳ３０３ａ、Ｓ３０３ｂ、Ｓ３０３ｃ、Ｓ３０３ｄ、およびＳ３０３ｅ）へ進む。
【００４０】
また、図３Ｂは、ファイル処理装置２の、ＲＯＭ２０２、ＲＡＭ２０３、ＨＤＤ２０４、または、ＣＤ−ＲＯＭ２０５に記憶され、ＣＰＵ２０１によって実行することができる、本発明にかかるファイル処理用プログラム変形例のメインルーチンを示すフローチャートである。
【００４１】
図３Ｂに示すフローチャートと、図３Ａに示したフローチャートとの相違は、図３Ａにおけるメニュー選択ステップＳ３０２に相当するメニュー選択ステップＳ３３３の前に、操作者によるファイル選択を検出するステップＳ３３２が配置された点である。操作者がひとつまたは複数のファイルを選択すると（例えば、マウス２０８でファイルをクリックすると）、選択されたファイルに対して実行する処理メニューがディスプレイ２０６に表示される。本変形例は、選択したファイルに対する処理メニューから操作者が実行したい処理を選択することで、その処理が実行されるように構成される。処理メニューの中の「キャンセル」、または、メニュー以外の画面上位置をマウス２０８でクリックされれば、メニュー選択ステップＳ３３３はキャンセルされる。
【００４２】
操作者が、ステップＳ３０２において選択可能なメニューには以下の項目が含まれる。
【００４３】
「データ登録」（ステップＳ３０３ａ）
データ登録ステップＳ３０３ａでは、入力装置１からのデータの入力を受け付け、そのデータをファイルとしてファイル処理装置２の管理下に置くための処理を行う。実際には、例えば、入力装置１がデジタルカメラである場合、デジタルカメラに記録された画像データのひとつまたは複数を、ファイルとしてファイル処理装置２の記憶装置に転送する処理を実行する。また、入力装置１がＭＦＰである場合、ＭＦＰの記憶するデータを転送する処理のみならず、ＭＦＰにスキャンを実行させて原稿等の紙媒体情報からデジタルデータを生成し、生成されたデータをファイル処理装置２に転送する処理を含む。データの登録とは、入力装置１からファイル処理装置２にファイルを取り込み、取り込んだファイルを本プログラムが認識するための処理である。
【００４４】
「ファイル結合」（ステップＳ３０３ｂ）
ファイル結合ステップＳ３０３ｂでは、ファイル処理装置２に登録されたファイルのうち操作者が選択したひとつまたは複数のファイルを結合し、新たなファイルを作成する処理を実行する。
【００４５】
「印刷」（ステップＳ３０３ｃ）
印刷ステップＳ３０３ｃでは、ファイル処理装置２に登録されたファイルのうち、操作者の選択したひとつまたは複数のファイルについて、印刷装置を用いて印刷処理を実行する。この処理で用いられる印刷装置は、出力装置３に含まれる装置であってもよい。
【００４６】
「検索」（ステップＳ３０３ｄ）
検索ステップＳ３０３ｄでは、ファイル処理装置２に登録されたファイルに付されたキーワード、または、マーカ等を用いて検索処理を実行する。
【００４７】
「システム終了」（ステップＳ３０３ｅ）
システム終了ステップＳ３０３ｅでは、ファイル処理用プログラムを終了する上で必要な後処理等を行い、ファイル処理用プログラムを終了させる処理を実行する。
【００４８】
上記メニュー以外のファイル処理メニューを、本プログラムが備えてもよい。
【００４９】
上記メニューのうち、「印刷」（ステップＳ３０３ｃ）、および「検索」（ステップＳ３０３ｄ）処理は、一般的な処理であるため、説明を省略する。
【００５０】
以下、本発明の主要部を構成するファイル結合処理（ステップＳ３０３ｂ）について詳細に説明する。
【００５１】
図４は、ファイル結合処理（図３ＡのステップＳ３０３ｂ、および、図３ＢのステップＳ３３４ｂ）の詳細を示すフローチャートである。
【００５２】
キーボード２０７やマウス２０８等の入力手段により、操作者がメニューからファイル結合を選択すると、操作者に対し、結合すべきファイルを選択することを促す画面を表示し、操作者によるファイルの選択が完了するまで待機する（ステップＳ４０１）。このステップＳ４０１は、本プログラムが、図３Ｂに示すフローチャート構成を有する場合、既にファイルが選択されている（図３Ｂ、ステップＳ３３２参照。）ため不要である。ただし、さらに選択ファイルを追加するために、本ステップを備えてもよい。
【００５３】
操作者が、ファイル選択を完了すれば、次に結合ステップＳ４０２に進む。
【００５４】
結合ステップＳ４０２の詳細について、図５を参照しながら説明する。図５は、図４の結合ステップＳ４０２の詳細について示すフローチャートである。
【００５５】
先ず、選択されたファイルのそれぞれについて、セキュリティ設定を調査する（ステップＳ５０１）。具体的には、選択されたファイルのそれぞれについて設定されているセキュリティ設定について、以下の項目について調査（抽出）する。
（１）セキュリティを設定する対象（セキュリティ設定対象）。
（２）各セキュリティ設定対象の、セキュリティを確保するための方式（セキュリティ確保方式）。
【００５６】
（１）の「セキュリティ設定対象」は、許可／不許可が設定される対象（処理）である。例えば、アクセス許可、印刷許可、読取りに限定したアクセス許可、編集許可等、といった、セキュリティ管理される対象（処理等）を指す。また、印刷やアクセスに関し、具体的な処理について個別的に許可、不許可を設定するセキュリティ設定も指す。例えば、「印刷許可」には、印刷時における透かし印刷許可設定や、低解像度印刷のみ許可する設定等が含まれ、また、例えば、「アクセス許可」には、単純な、ファイルに対するアクセスを許可・不許可する設定を可能であるのみならず、「読取りに限定したアクセス」の許可・不許可、「ファイルの編集処理」に関する許可・不許可等が含まれる。また、「ファイルの編集処理」には、「ページの削除」を許可・不許可する設定、「ページの挿入」を許可・不許可する設定、「コメントの入力」を許可・不許可する設定、「ページの回転」を許可・不許可する設定、「文字の削除」を許可・不許可する設定、「文字の挿入」を許可・不許可する設定、「スタンプの追加」を許可・不許可する設定、「スタンプの削除」を許可・不許可する設定、「ヘッダ／フッタの追加」を許可・不許可する設定、「ヘッダ／フッタの削除」を許可・不許可する設定等が含まれる。
【００５７】
（２）の「セキュリティ確保方式」は、認証のための方式および手段である。この方式・手段には、パスワード方式、暗号化方式、生体情報認証方式、ユーザ情報認証方式等が含まれる。また、パスワード方式にパスワードと共に個人情報（例えば、誕生日や住所、電話番号等）の入力を要求する方式を含めてもよい。ステップＳ５０１は、例えば、認証方式が、パスワード方式の場合、パスワードの桁数等、認証精度に関わる情報についても調査する。また、ステップＳ５０１は、認証方式が、暗号化方式である場合、用いられている暗号の種類（対称鍵方式、または、非対称鍵方式等）、暗号化方式（ＤＥＳ、トリプルＤＥＳ、ＲＳＡ等）およびそのヴァージョン、ならびに、暗号強度についても調査する。また、ステップＳ５０１は、認証方式が、生体情報認証方式である場合、認証に使用される生体情報（指紋、掌紋、声紋、虹彩パターン等）の種類についても調査する。
【００５８】
調査の結果は、本装置２の記憶装置２０３または２０４に記憶される。
【００５９】
ステップＳ５０２において、選択されたファイル全てのセキュリティ設定が調査され、抽出され、その内容が本装置２の記憶装置２０３または２０４に記憶されたかどうかをチェックする。チェックの結果、選択されたファイルのうち、未だ調査されていないファイルが存在する場合、ステップＳ５０１に戻る。選択されたファイルが全て調査されていれば、ステップＳ５０３に進む。
【００６０】
ステップＳ５０３において、ステップＳ５０１において調査され、記憶された選択されたファイルに関するセキュリティ設定を、表示装置であるディスプレイ２０６に表示することにより、操作者にその内容を示す。図６Ａおよび図６ＢはステップＳ５０３における表示例を示す図である。図６Ａは、選択されたファイルのファイル名および設定されているセキュリティ設定対象についてテキスト形式で一覧表示する場合の例である。図６Ｂは、さらに、選択されたファイルのファイル名を表示するカラムの代りに、ファイルの内容についてグラフィカルに表示するカラムを設けた一覧表示例である。図６Ａおよび図６Ｂに示す表は、共通して、チェックボックス６０１を、各ファイルについてひとつまたは複数備えており、操作者は、ファイル名カラム６０３およびセキュリティ設定対象カラム６０５に表示される情報に基づいて、結合ファイルに設定したいセキュリティ設定対象の設定項目を選択する。この、操作者が結合ファイルに設定しようと選択するセキュリティ対象を、以後、「選択セキュリティ」と称する。２つ以上の異なるセキュリティ設定対象の設定項目が設定されているファイルは、複数のチェックボックスをセキュリティ設定対象毎に備えている。この選択は、キーボード２０７またはマウス２０８によりチェックボックスをＯＮまたはＯＦＦすることでなされればよい。複数のチェックボックスがＯＮになっている場合、結合ファイルのセキュリティ設定対象は、それら複数のセキュリティ設定対象からなる複合的なセキュリティ設定を有することとなり、全てのチェックボックスがＯＦＦの場合、結合ファイルに対してセキュリティ設定は一切なされないことになる。図６Ｂに示す表では、ファイル名カラムに代えて、グラフィカルにファイルの内容を示すカラムが配される。また、ファイルが複数ページで構成される場合には、ページ戻しボタン６１１、および、ページ送りボタン６１３がファイルのサムネイル表示の側方に示され、操作者はこのボタンをキーボード２０７またはマウス２０８で操作し、表示されるファイル内ページを送り、その内容を確認することができる。操作者は、結合ファイルに設定したいセキュリティ設定対象のチェックボックス６０１をＯＮにした後、「ＯＫ」ボタン６０７をクリックする。また、「キャンセル」ボタン６０９がクリックされた場合、ファイル結合ステップを抜けて、メニュー選択ステップＳ３０２（図３Ａ参照。）またはファイル選択ステップＳ３３２（図３Ｂ参照。）に戻る。
【００６１】
このように、表示手段であるディスプレイ２０６に一覧表示することで、操作者は容易にセキュリティ設定対象を選択することができる。そのため、操作者による誤操作を回避できる。
【００６２】
「ＯＫ」ボタンがクリックされると（ステップＳ５０５におけるＹＥＳ）、ステップＳ５０６に進む。
【００６３】
なお、操作者が選択セキュリティを決定するためのインターフェースは、図６Ａおよび図６Ｂに示したようなインターフェースに限定されない。例えば、セキュリティの選択は、選択されるセキュリティ設定対象が示されている行の一部分をクリックするような構成であってもよい。
【００６４】
ステップＳ５０６では、操作者が選択したセキュリティ設定対象（選択セキュリティ）を、選択セキュリティデータとして記憶装置２０３または２０４に記憶し、ステップＳ５０７に進む。
【００６５】
ステップＳ５０７では、全ての選択されたファイルについて、有効になっているセキュリティ設定を一時的に無効化する処理を行う。
【００６６】
そして、ステップＳ５０８において、選択されたファイルを結合した、結合ファイルを新たに作成する。
【００６７】
次に、ステップＳ５０９では、新たに作成された結合ファイルに対し、ステップＳ５０６で記憶した選択セキュリティデータに基づいて、セキュリティ設定を実行する。
【００６８】
このように本プログラムを構成することで、複数のファイルの内容を含む結合ファイルを新たに作成する際、操作者は結合元のファイルに設定されたセキュリティ設定を憶えて新たに作成された結合ファイルにセキュリティ設定を設定し直す必要がなくなる。
【００６９】
また、結合処理に際し、結合元ファイルのセキュリティ設定を手動的に解除する必要がなくなる。セキュリティ設定を解除することは、それがたとえ一時的であってもセキュリティ面で問題を含む処理である。このような処理を強いられる操作者は精神的な負担を感じることがあるが、本装置においてはそのような精神的負担が軽減され、誤操作のおそれもなくなる。
【００７０】
［ファイル処理用プログラムの変形例］
図７は、図４に示した結合ステップＳ４０２の別例を示すフローチャートである。
【００７１】
本変形例において、ステップＳ５０１、ステップＳ５０２、ステップＳ５０７、ステップＳ５０８は、図５のものと同様であるため説明を省略する。
【００７２】
ステップＳ７０１では、本プログラムは、新たに作成する結合ファイルに設定されるセキュリティ設定対象をプログラムが自動的に選定する。この、プログラムが自動的に結合ファイルに設定することを決定したセキュリティ設定対象を、以後、「選定セキュリティ」と称する。本変形例は、結合ファイルに設定されるセキュリティ設定対象を、プログラムが自動的に決定する点で、先の形態と異なる。
【００７３】
図８は、ステップＳ７０１におけるセキュリティの選定処理に関する詳細なフローチャートである。
【００７４】
ステップＳ８０１では、選択されたファイルのそれぞれに対し、アクセスが許可されている（そのファイルを開くことができる）ユーザが指定されているか否かを調査する。アクセスが許可されているユーザが指定されていない場合（Ｓ８０１のＮＯ）、ステップＳ８０４に進み、選択されたファイルのうち、ひとつでもアクセスが許可されているユーザが指定されているファイルが含まれる場合（Ｓ８０１のＹＥＳ）、ステップＳ８０２に進む。
【００７５】
ステップＳ８０２では、各ファイル間で、アクセスが許可されているユーザが異なるか、全てのファイルでアクセス許可ユーザが全く同じかどうかを判定する。ここでは、アクセスを許可するユーザが指定されていないファイルは、全てのユーザに対してアクセスが許可されていると解して判定を行ってよい。全てのファイルについて、アクセスが許可されているユーザが同一である場合（Ｓ８０２のＮＯ）、ステップＳ８０４に進み、選択されたファイルのいずれか２つのファイル同士でアクセスが許可されているユーザが異なる場合（Ｓ８０２のＹＥＳ）、ステップＳ８０３に進む。
【００７６】
アクセス許可ユーザ選定ステップＳ８０３については、後で詳述する。
【００７７】
ステップＳ８０４では、選択されたファイル全てについて、現在有効化されているセキュリティ設定対象について調査する。そして、少なくとも１つのファイルについて有効化されているセキュリティ設定対象は、全て有効化するように結合ファイルに設定するようにセキュリティ設定対象を選定する。つまり、各ファイルについて有効化されているセキュリティ設定対象について、論理和（「ＯＲ」）をとって結合ファイルに設定するセキュリティ設定対象を選定する。このようにして選定されたセキュリティ設定対象を、「ＯＲタイプ選定セキュリティ」と呼ぶことにする。
【００７８】
ＯＲタイプ選定セキュリティに含まれるセキュリティ設定対象は、選択されたファイルに設定されているセキュリティ設定対象を全て含む。そのため、結合ファイルに設定されるセキュリティは、選択されたファイルのいずれに設定されたセキュリティよりも強固である。
【００７９】
図９は、ＯＲタイプ選定セキュリティによる、結合ファイルのセキュリティ設定対象選定例を例示する図である。図中「セキュリティ」のカラムは、選択されたファイル（Ｆｉｌｅ１、Ｆｉｌｅ２、およびＦｉｌｅ３）の少なくともいずれかに設定されている可能性のあるセキュリティ設定対象を示す。例えば、「ファイルを開くときのパスワード入力」は、アクセス許可を制限するセキュリティ設定対象が、パスワード方式のセキュリティ確保方式で、Ｆｉｌｅ１およびＦｉｌｅ２に対し設定されていることを示す。また、「編集不可」は、編集処理を制限するセキュリティ設定対象が、Ｆｉｌｅ３に対し設定されていることを示す。「印刷不可」は、選択されたファイルに対し設定されていないことを示す。「内容コピー不可」は、ファイルのコピーまたはファイルの一部のコピーが、Ｆｉｌｅ２に対し制限されていることを示す。
【００８０】
このような場合、ＯＲタイプセキュリティ選定は、「印刷不可」を除き、全てのセキュリティ設定対象を結合ファイルに設定するように、セキュリティ設定対象を選定する。
【００８１】
また、図示しないが、ステップＳ８０４は、選択されたファイルの全てにおいて有効化されているセキュリティ設定対象のみを有効化するように結合ファイルに設定するようにセキュリティ設定対象を選定してもよい。つまり、各ファイルについて有効化されているセキュリティ設定対象について、論理積（「ＡＮＤ」）をとって結合ファイルに設定されるセキュリティ設定対象を選定してもよい。このようにして選定されたセキュリティ設定対象を、「ＡＮＤタイプ選定セキュリティ」と呼ぶことにする。
【００８２】
ＡＮＤタイプ選定セキュリティに含まれるセキュリティ設定対象は、選択されたファイルに設定されているセキュリティ設定対象のうち、選択されたファイル間で共通する設定対象のみを含むことになる。そのため、結合ファイルに設定されるセキュリティは、必要最小限の設定となり、結合ファイルを使用する際の認証手続を、最小限の手続きに抑えることができる。
【００８３】
図１０および図１１はそれぞれ、ステップＳ８０３の処理の詳細を示すフローチャートである。
【００８４】
図１０は、ステップＳ８０３の構成例である。ステップＳ１００１では、選択されたファイルに対してアクセス（ファイルを開くこと）を許可されているユーザの論理積（「ＡＮＤ」）をとり、全てのファイルに対してアクセスを許可されているユーザのみを、結合ファイルにアクセスすることができるユーザに選定する。このようなユーザ選定を、「ＡＮＤタイプ許可ユーザ」選定と呼ぶことにする。
【００８５】
この「ＡＮＤタイプ許可ユーザ」の選定は、より強固なセキュリティを結合ファイルに設定するという観点からは好ましいが、アクセス許可されるユーザが過度に限定される場合がある。次の「ＯＲタイプ許可ユーザ」選定は、セキュリティの強固さの観点からは、「ＡＮＤタイプ許可ユーザ」選定に及ばないが、実用上問題のないセキュリティを提供することができる許可ユーザ選定法である。
【００８６】
図１１は、ステップＳ８０３の別例であり、上述の「ＯＲタイプ許可ユーザ」選定法のフローチャートである。ステップＳ１１０１では、選択されたファイルに対してアクセスを許可されているユーザの論理和（「ＯＲ」）をとり、選択されたファイルの少なくとも１つに対しアクセスを許可されているユーザを、結合ファイルにアクセスすることができるユーザに選定する。このようなユーザ選定を、「ＯＲ」タイプユーザ選定と呼ぶことにする。
【００８７】
本発明にかかるファイル処理用プログラムは、「ＡＮＤタイプ許可ユーザ」または「ＯＲタイプ許可ユーザ」選定法のいずれをも用いることができる。また、状況に応じて両者を切り換える構成を備えてもよい。また、上述のＡＮＤタイプ選定セキュリティおよびＯＲタイプ選定セキュリティのいずれと組み合わせて実施することも可能である。
【００８８】
ステップＳ７０２では、新たに作成された結合ファイルに対し、選定セキュリティに基づいて、セキュリティ設定を実行する。
【００８９】
［セキュリティ確保方式の選定］
以上、選択されたファイルのセキュリティ設定対象を、いかにして結合ファイルに引き継ぐかについて説明した。これより、それらセキュリティ設定対象のセキュリティを確保するための方法（セキュリティ確保方式）の選定について説明する。
【００９０】
選択されたファイル（被結合ファイル）間で、同一のセキュリティ設定対象に対し異なるセキュリティ確保方式が採用されている場合がある。また、異なるセキュリティ設定対象に対し異なるセキュリティ確保方式が採用されている場合がある。そのような場合、結合ファイルにいずれのセキュリティ確保方式を採用するか、その決定方法について説明する。
【００９１】
ファイルに対しユーザ認証のために設定されるセキュリティ確保方式は様々である。また、同一の方式であっても、そのセキュリティの強固さに優劣が存在する。
【００９２】
例えば、一般に、パスワード方式と、生体情報認証方式とを比較すると、生体情報認証方式のほうが、セキュリティの強固さの観点では有利である。
【００９３】
また、同一の方式、例えばパスワード方式では、要求されるパスワードの桁数が大きい方が、セキュリティの強固さの観点では有利とされる。暗号化方式でも、暗号強度に差があり、例えば、ＤＥＳ方式よりもトリプルＤＥＳ方式は、セキュリティの強固さの観点から有利である。
【００９４】
よって、本発明にかかるファイル処理用プログラムにおいては、同一のセキュリティ設定対象に対し、異なる方式、または、同一の方式であってセキュリティ強度に差のある場合、結合ファイルのセキュリティ強度がより向上するように、セキュリティ確保方式を選択することができる。
【００９５】
異なるセキュリティ確保方式間でのセキュリティの強固さについて、予め記憶装置２０２、２０３、２０４、および、ＣＤ−ＲＯＭ２０５に記憶することができる。同一のセキュリティ確保方式間でのセキュリティの強固さについても、予め記憶装置２０２、２０３、２０４、および、ＣＤ−ＲＯＭ２０５に記憶することができる。
【００９６】
図１２は、セキュリティ確保方式の設定処理を含むフローチャートを示す図である。図１２に示すステップは、図５および図７のステップＳ５０８以下で実施すればよい。
【００９７】
ステップＳ１２０１では、結合ファイルに設定される各セキュリティ設定対象に対し、選択されたファイルで採用されているセキュリティ確保方式を比較し、よりセキュリティ強度の高いセキュリティ確保方式を採用するようにセキュリティ確保方式を決定する。
【００９８】
ステップＳ１２０２では、先のステップで決定されたセキュリティ確保方式を、結合ファイルに対して適用する処理を実施する。
【００９９】
例えば、セキュリティ確保方式が、暗号化方式であって、選択されたファイルのひとつでは、ＤＥＳ暗号方式を用い、他のファイルではトリプルＤＥＳ暗号方式を用いている場合、よりセキュリティ強度が上であるとされるトリプルＤＥＳ暗号方式を採用することが好ましい。
【０１００】
また、同じ暗号化方式であっても、ヴァージョンが異なる場合、より新しいヴァージョンを採用することが好ましい。
【０１０１】
パスワード方式の場合、パスワードの桁数がより大きい方を採用することが好ましい。
【０１０２】
パスワード方式と、個人情報入力方式とを共用する場合、パスワード方式を単独で用いる方式よりも優先的に採用することが好ましい。
【０１０３】
あるファイルではパスワード方式が用いられ、別のファイルでは生体情報認証方式が用いられている場合、生体情報認証方式を採用することが好ましい。
【０１０４】
選択されたファイルのうち、複数のファイルがそれぞれ個別のパスワードを持っている場合、全てのパスワードを採用し、多重的なパスワード方式によるセキュリティの確保を行ってもよい。
【０１０５】
また、生体情報認証方式には、さまざまな認証方式（指紋、声紋、掌紋等）が含まれるが、それら同士で、セキュリティ強度の観点より優劣がある場合、優位な認証方式を採用すればよい。
【０１０６】
本願の「認証」は、ユーザ（操作者）認証である。その認証方式・手段には、パスワード方式が含まれる。安全性を高めた使い捨てパスワード（ワンタイム・パスワードまたはダイナミック・パスワード）方式も含まれる。また、暗号化手段もその方式・手段に含まれる。例えば、秘密鍵暗号に基づく方式、公開鍵暗号に基づく方式、ゼロ知識証明方式、名前をそのまま公開鍵としたＩＤ−Ｂａｓｅｄ方式等が含まれる。秘密鍵暗号には、ＤＥＳ(Data Encryption Standard)、トリプルＤＥＳ(Triple Data Encryption Standard)、ＡＥＳ(Advanced Encryption Standard)、ＩＤＥＡ(International Data Encryption Algorithm)、ＦＥＡＬ(Fast Data Encipherment Algorithm)、ミスティ(MISTY)等が含まれる。公開鍵暗号には、ＲＳＡ(Rivest-Shamir-Adleman Scheme)が含まれる。また、生体情報に基づく認証（バイオメトリック認証）もその方式・手段に含まれる。認証に使用される生体情報として、指紋、指形、掌紋、声紋、静脈、掌形、耳形、顔貌、網膜、虹彩パターン、署名する際のペンの動きの速度、加速度、筆圧等が含まれる。
【０１０７】
本明細書において、複数ファイルの「結合」処理とは、複数のファイルをまとめて新たにひとつのファイルを作成する処理を指す。複数ファイル間の関係性を定めて記録する処理ではない。
【産業上の利用可能性】
【０１０８】
本発明にかかるファイル処理装置、およびファイル処理用プログラムは、セキュリティ設定の付されたファイルの結合処理に際し、操作者の負担を軽減する効果を有し、ファイル処理装置およびファイル処理用プログラムとして有用である。
【図面の簡単な説明】
【０１０９】
【図１】本発明によるファイル処理装置を含むファイル処理システムの概略図
【図２】本発明によるファイル処理装置のブロック図
【図３Ａ】本発明によるファイル処理用プログラムのフローチャート
【図３Ｂ】本発明によるファイル処理用プログラムのフローチャートの別例
【図４】ファイル結合操作ステップのフローチャート
【図５】ファイル結合ステップのフローチャート
【図６Ａ】セキュリティ設定対象選択用画面の概略図
【図６Ｂ】セキュリティ設定対象選択用画面の別例の概略図
【図７】ファイル結合ステップのフローチャートの別例
【図８】セキュリティ選定ステップのフローチャート
【図９】セキュリティ選定の概要を示す図
【図１０】アクセス許可ユーザの選定にかかるフローチャート
【図１１】アクセス許可ユーザの選定にかかるフローチャートの別例
【図１２】結合ファイルのセキュリティ確保方式の決定にかかるフローチャート
【符号の説明】
【０１１０】
１  入力装置
２  ファイル処理装置
３  出力装置
２０１  ＣＰＵ
２０２  ＲＯＭ
２０３  ＲＡＭ
２０４  ＨＤＤ
２０６  ディスプレイ
２０７  キーボード
２０８  マウス
６０１  チェックボックス
６０７  ＯＫボタン
６０９  キャンセルボタン
【図１】
2007065857.tif 000003
【図２】
2007065857.tif 000004
【図３Ａ】
2007065857.tif 000005
【図３Ｂ】
2007065857.tif 000006
【図４】
2007065857.tif 000007
【図５】
2007065857.tif 000008
【図６Ａ】
2007065857.tif 000009
【図６Ｂ】
2007065857.tif 000010
【図７】
2007065857.tif 000011
【図８】
2007065857.tif 000012
【図９】
2007065857.tif 000013
【図１０】
2007065857.tif 000014
【図１１】
2007065857.tif 000015
【図１２】
2007065857.tif 000016